(57)【要約】【課題】本発明は、電気を安全に使用することができるように極性を補正し、プラグを正確な極性に差し込むことを可能にする、極性補正可能な多機能コネクタースイッチを提供する。【解決手段】回転を行うための回転部材を備える。前記回転部材には、タッチセンサ部材及び電源プラグの電源線端子に電気的に接続される少なくとも一つの検査部材が設けられる。手で前記タッチセンサ部材を触ると人体とによって回路が形成され、前記電源プラグの極性の正確な位置が分かり、前記回転部材によって適切な極性の電位或いは電圧を選択することができる。また、電気抵抗式インジケーターランプにより、アースＥ極の出力が正常かどうかを判別することができる。【選択図】図１
2012169194.tif 000002
【特許請求の範囲】
【請求項１】
極性補正可能な多機能コネクタースイッチであって、
絶縁ケースと、絶縁ケース内に収容されるとともに絶縁ケースの開口の周壁により限定された範囲で回転を行うことが可能な回転部材と、前記スイッチの所定の位置に設けられた少なくとも一つの検査部材と、によって構成し、
前記絶縁ケースの一端には、極性を備える一対の導電端子が設けられ、前記絶縁ケースの他端には開口が設けられ、
前記回転部材には、前記一対の導電端子と電気的に導通する複数の端子溝が設けられ、
前記検査部材は、タッチセンサ部材及び伝導部材と電気的に接続されることを特徴とする、極性補正可能な多機能コネクタースイッチ。
【発明の詳細な説明】
【技術分野】
【０００１】
本発明は多機能スイッチに関し、特に、電気を安全に使用することができるように極性を補正し、プラグを正確な極性に差し込むことを可能にする、極性補正可能な多機能コネクタースイッチに関する。
【背景技術】
【０００２】
各国のプラグの形状はそれぞれ異なるため、使用者が電気を安全に使用することができるように極性を補正する電気製品が必要とされている。それを実現するには、アース線や中性線を使用するため、開発メーカーは頭を悩ませている。電気製品の多くには、二本の線、二本のピンをだけを備えるプラグが採用されている。また、別の形態として、三本のピンを備えるプラグもある。しかしながら、使用者があまり深く考えずにアースピンを切ってしまい、漏電が発生することがたびたびあり、もし、電線の皮が破けていたり、濡れていたりすると、漏電により人体を傷つけてしまうこともある。また、使用者が挿した極性が正確でない時、電磁波が発生し放射性物質によって環境や人体に害を及ぼすことがあり、さらには、電気の知識をもつ人による指導や注意がない状況だと、電気の知識をもたない人が感電してしまう恐れがある。
【発明の概要】
【発明が解決しようとする課題】
【０００３】
そこで、本発明は、電気を安全に使用することができるように極性を補正し、プラグを正確な極性に差し込むことを可能にする、極性補正可能な多機能コネクタースイッチを提供することを目的とする。
【課題を解決するための手段】
【０００４】
本発明による極性補正可能な多機能コネクタースイッチは、絶縁ケースと、回転部材とを備える。前記絶縁ケースの側辺には、少なくとも一つの位置限定区間が設けられる。前記位置限定区間では、前記回転部材の側辺から凸出した回転調整部がスライドして動かされる。また、前記回転調整部にはタッチセンサ部材が設けられ、前記回転部材は、絶縁ケース内に収容されるとともに、上部は外に露出し、外に露出した箇所には、端子を差し込むための複数の端子溝が設けられる。前記回転部材には、少なくとも一つの検査部材が設けられ、前記検査部材は、前述したタッチセンサ部材と電気的に接続されるとともに、前記回転部材の底部に設けられた伝導部材と電気的に接続されれる。前記伝導部材は、導電部材と相互に接触して電気的に導通する。前記導電部材は、電源線端子（Ｌ）と電気的に接続される。そして、前記絶縁ケースを電源コンセントに差し込み、使用者が手で前記タッチセンサ部材を触ると人体を通して回路が形成され、前記検査部材に連結された伝導部材と前記電源線端子（Ｌ）が導通した場合、この検査部材は点灯する（同時に、この電源コンセントは２２０Ｖ以上であることが分かる）。反対に、前記電源線端子が電源コンセントの電源線コンセントに挿入されなかった時（即ち、極性が反対の場合）、使用者が手でタッチセンサ部材を触っても検査部材と回路が生じず、このときは、前記検査部材は点灯しない（同時に、この電源コンセントは１２５Ｖ以下であることが分かる）。以上の構造により、電源コンセントの正確な極性と正確の電圧値が分かり、使用者が誤って差し込むのを防ぐことができる。また、電源プラグの端子を前記端子溝に差し込んだ時、前記回転調整部を回転させる、或いは前記電源プラグを直接回転させることにより、前記回転部を回転させ、異なる極性及び電圧への変換を行うことができる。前記電源コンセントが提供する電力が１１０Ｖの時、前記回転部材を１１０Ｖのポジション（この時、電源線端子は、前記電源プラグの左側に位置する）まで回転させ、電源コンセントが提供する電力が２２０Ｖの時は、前記回転部材を２２０Ｖのポジション（この時、電源線端子は、前記電源プラグの右側に位置する）まで回転させる。
【０００５】
本発明による極性補正可能な多機能コネクタースイッチは、変圧器、整流器、コンセント、コンセント延長コード、アダプター等の全てのコネクターに、３６０゜回転が可能なコネクタースイッチとして適用される。
【０００６】
本発明による極性補正可能な多機能コネクタースイッチは、アース極と電源線Ｌ極の間に、電気抵抗式インジケーターランプが設けられ、ランプが点灯したかどうかで、アースＥ極の出力が正常かどうかを判断することができる。
【０００７】
本発明による極性補正可能な多機能コネクタースイッチの電源プラグには、ガイドと、押しブロックと、導電スイッチと、第一接続切断片と、第二接続切断片とが設けられる。前記接続切断片は、溶断可能な材料からなり、前記電源プラグには、タッチセンサ部材と検査部材が設けられ、前記検査部材と電源線端子は電気的に接続される。使用者が前記電源プラグを使用しない時は、前記押しブロックを前記ガイド上で移動させることで、前記導電接続片は前記第一接続切断片から離れる。反対に、前記電源プラグを使用したい時は、前記押しブロックを一端に向かって動かすと、第一接続切断片と第二接続切断片は、前記導電接続片によって電気的に導通する。また、使用者が前記タッチセンサ部材を触った結果、前記検査部材が点灯すると、その端子が電源線端子（Ｌ）であることわかる。即ち、前記導電スイッチにより、前記電源プラグを能動的に通電或いは通電停止させることができ、前記タッチセンサ部材及び前記検査部材により、使用者は電源線端子（Ｌ）の正確な位置を簡単に知ることができる。
【発明の効果】
【０００８】
上述の技術により、従来の問題（即ち、使用者があまり深く考えずにアースピンを切ってしまい、漏電が発生することがたびたびあり、もし、電線の皮が破けていたり、濡れていたりすると、漏電により人体を傷つけてしまうこともある。また、使用者が挿した極性が正確でない時、電磁波が発生し放射性物質によって環境や人体に害を及ぼすことがあり、さらには、電気の知識をもつ人による指導や注意がない状況だと、電気の知識をもたない人が感電してしまう恐れがある）を解決することができる。さらに、電気を利用しない時は随時電源をオフにすることができ、電気を利用する際に火災を予防するというヒューズの効果も有し、また、極性を正しく使用することができるため誤って極性を反対に挿したりすることを防止することができ、電気抵抗を減少させ、電磁波による放射性物質の人体に対する目に見えない危害を減らし、さらには省エネ効果があり環境保護に役立つなどの実用進歩性を備えている。
【図面の簡単な説明】
【０００９】
【図１】本発明の好ましい実施例の斜視図である。
【図１Ａ】本発明のもう一つの好ましい実施例の斜視図である。
【図２】本発明の好ましい実施例の断面図である。
【図３】本発明の好ましい実施例の絶縁ケース頂部を示した説明図である。
【図３Ａ】本発明の好ましい実施例の極性の表示を示した説明図１である。
【図３Ｂ】本発明の好ましい実施例の極性の表示を示した説明図２である。
【図４】本発明の好ましい実施例の極性の表示を示した説明図３である。
【図４Ａ】本発明の好ましい実施例の極性の表示を示した説明図４である。
【図５】本発明の好ましい実施例の極性の表示を示した説明図５である。
【図５Ａ】本発明の好ましい実施例の極性の表示を示した説明図６である。
【図６】本発明の好ましい実施例の絶縁ケースを差し込む操作を示した説明図１である。
【図７】本発明の好ましい実施例の絶縁ケースを差し込む操作を示した説明図２である。
【図８】本発明の回転調整部の好ましい実施例の操作を示した説明図１である。
【図８Ａ】本発明の回転調整部の好ましい実施例の操作を示した説明図２である。
【図９】本発明の実施例１の断面図である。
【図１０】本発明の実施例２の断面図である。
【図１０Ａ】本発明の実施例２の俯瞰図である。
【図１０Ｂ】本発明の実施例２の回転のレールを示した図である。
【図１１】本発明の実施例３を示した説明図１である。
【図１１Ａ】本発明の実施例３を示した説明図２である。
【図１２】本発明の実施例３を示した説明図３である。
【図１３】本発明の実施例４を示した説明図１である。
【図１４】本発明の実施例４を示した説明図２である。
【図１４Ａ】本発明の実施例４を示した説明図３である。
【図１５】本発明の実施例５を示した説明図である。
【図１６】本発明の実施例６を示した説明図１である。
【図１７】本発明の実施例６を示した説明図２である。
【図１８】本発明の実施例６を示した説明図３である。
【発明を実施するための形態】
【００１０】
図１から図５Ａを参照する。図１は、本発明の好ましい実施例の斜視図であり、図１Ａは、本発明のもう一つの好ましい実施例の斜視図であり、図２は、本発明の好ましい実施例の断面図であり、図３は、本発明の好ましい実施例の絶縁ケース頂部を示した説明図であり、図３Ａから図５Ａは、本発明の好ましい実施例の極性の表示を示した説明図１から６である。図から分かるように、本発明による極性補正可能な多機能コネクタースイッチは、絶縁ケース１１と、絶縁ケース１１内に収容されるとともに開口１３の周壁１３１によって限定された範囲で回転を行うことが可能な回転部材２０（回転部材２０の表面には差し込み口パネル３１が設けられる）と、前記スイッチの所定の位置に設けられた少なくとも一つの検査部材３０、３０１（前記検査部材３０１は、図１のＥ極フォント内に設けられている）とによって構成する。検査部材３０、３０１は発光素子（ＬＥＤ）或いは音声発生部材である。検査部材３０は、差し込み口パネル３１の右挿孔３２のＬ極（これは、２５０Ｖの電源線の出力口）の電源線上方に設けられ、下述のタッチセンサ部材２２を触って検査部材３０が点灯すると、２５０ＶのＬ極であると判別することができる。他方の極性の判別に関しては、以下で説明する。絶縁ケース１１の一端には、極性を備える一対の導電端子１２が設けられ、絶縁ケース１１の他端には開口１３が設けられる。その内、一対の導電端子１２は、固定板１３０に穿設され、固定板１３０は絶縁ケース１１の一端に嵌合され、固定板１３０には一対の導電端子１２が穿設され、一対の導電端子１２は、第一端子１２１（第一端子１２１は、電圧２２０Ｖのコンセントには電源線端子（Ｌ）が設けられ、それとは反対に、電圧１１０Ｖのコンセントには中性線（Ｎ）が設けられる）と、第二端子１２２と、アース端子１２３とを備え、第一端子１２１と第二端子１２２が固定板１３０に穿設された箇所には、それぞれ導電部材１４、１４１が接続される。導電部材１４、１４１には、Ｌ極とＮ極に分けられ、延伸して極性と接触し、回転部材の表面の端子溝によって異なる極性に替えることができる。導電部材１４には、Ｌ極と連結される極性位置１４Ｌ及１４１Ｌ（極性位置１４Ｌ１、１４１Ｌ１でもよい）が設けられ、導電部材１４は、第一端子１２１と連結される。導電部材１４１には、Ｎ極と連結された極性位置１４１Ｎ及び１４１Ｎ１（極性位置１４Ｎ１、１４１Ｎ１でもよい）が設けられ、導電部材１４１は第二端子１２２と連結される（前記導電部材１４、１４１は、溶断可能な金属片、或いは高温になると回路が遮断される任意の導電材質である）。また、絶縁ケース１１の側辺には、少なくとも一つの位置限定区間１５が設けられる。位置限定区間１５では、回転部材２０の側辺から凸出した回転調整部２１をスライドさせることができる。また、前記回転調整部２１にはタッチセンサ部材２２（前記タッチセンサ部材２２は、タッチ式抵抗器である）が設けられる。タッチセンサ部材２２は、回転部材２０に設けられた検査部材３０と電気的に接続される。また、回転部材２０には、前記一対の導電端子１２と電気的に導通する複数の端子溝２３が設けられる。端子溝２３の底部には、検査部材３０と電気的に接続された伝導部材２４、２４ａ”が設けられ、伝導部材２４、２４ａ”は、端子溝２３の方向へ延伸して導電接触面２４１を形成し、さらに、前記伝導部材２４は、回転部材２０によって回転させられ、移動して導電部材１４と接触して異なる極性を出力する。また、前記Ｅ極アース端子１２３には、断層のアース接触片１４２”が設けられる。
【００１１】
また、絶縁ケース１１の開口１３に近接する箇所にはオン、オフ、極性等のインジケーター１６が設けられ、絶縁ケース１１の頂面中央箇所には、回転部材２０が設けられる。回転部材２０には端子を差し込むための複数の端子溝２３が設けられる。また、回転部材２０で測定することにより、出力される電圧値と極性の位置を知ることができる。回転部材２０の端子溝２３は、各極性の伝導部材２４の位置と対応し、主に三つのポジションに分けられる。一つは、スイッチオフポジション（図３Ａを例にとると、２２０Ｖの右挿孔３２をＦにセットするとニュートラルポジション、図３Ｂでは、１１０Ｖの右挿孔３２をＦにセットするとニュートラルポジション）、二つ目は、図４に示す、２２０Ｖのコンセントの右挿孔３２を１４Ｌの電源線端子（Ｌ）にセットした時の第一ポジション１６１、三つ目は、図５に示す、電圧２２０Ｖのコンセントの右挿孔３２を１４１Ｎ１（電圧１１０Ｖの製品は、変圧により、左Ｌ右Ｎ極性に調整することができる）にセットした時の第二ポジション１６２である。回転部材２０を第一ポジション１６１まで回転させた時、第一端子１２１と第二端子１２２が対応し接触する極性の位置は１４Ｌ及び１４１Ｎであり、反対に、回転部材２０を第二ポジション１６２まで回転させた時は、第一端子１２１と第二端子１２２が対応し接触する極性の位置は１４Ｌ１及び１４１Ｎ１である。また、前記図４と図５Ａが電圧１１０Ｖのシステムの時、前述と異なるのは、第一ポジション１６１及び第二ポジション１６２及びＮＬフォントだけであり、その他の状況は、前述と同じである。また、前記回転部材２０には、極性を検査する検査部材３０が設けられる。
【００１２】
また、回転部材２０内には、安全バルブ２３２が設けられ、アース端子１２３には斷層のアース接触片１４２が設けられる。
【００１３】
図１Ａを参照する。図１Ａは、本発明のもう一つの好ましい実施例の斜視図である。図から分かるように、絶縁ケース１１ｉの側辺には位置限定区間１５ｉが設けられ、位置限定区間１５ｉでは、回転部材２０ｉの側辺から凸出した回転調整部２１ｉがスライドして動かされる。前記検査部材３０ｉは、前記位置限定区間１５ｉの傍らに設けられ、使用者は目視で検査することができる。
【００１４】
図２から図７を参照する。図２は、本発明の好ましい実施例の断面図であり、図３は、本発明の好ましい実施例の絶縁ケース頂部を示した説明図であり、図３Ａは、本発明の好ましい実施例の極性の表示を示した説明図１であり、図３Ｂは、本発明の好ましい実施例の極性の表示を示した説明図２であり、図４は、本発明の好ましい実施例の極性の表示を示した説明図３であり、図４Ａは、本発明の好ましい実施例の極性の表示を示した説明図４であり、図５は、本発明の好ましい実施例の極性の表示を示した説明図５であり、図５Ａは、本発明の好ましい実施例の極性の表示を示した説明図６であり、図６は、本発明の好ましい実施例の絶縁ケースを差し込む操作を示した説明図１であり、図７は、本発明の好ましい実施例の絶縁ケースを差し込む操作を示した説明図２である。図から分かるように、一対の導電端子１２は、電源コンセント４０と連結される。使用する時の国の電圧１１０Ｖ或いは２２０Ｖに製品が符合するか知りたい時は（伝導部材２４と導電部材１４、１４１が結合されて製品になっている時には、既に相互に接触して導通している）、使用者はタッチセンサ部材２２を手で触ることにより測定を行うことができる。この時、検査部材３０は、伝導部材２４とタッチセンサ部材２２に電気的に接続されているため、第一端子１２１がＬ極コンセント端子に連結されている場合、使用者がタッチセンサ部材２２を触ると人体を通して回路が形成され、検査部材３０は点灯し、それにより、第一端子１２１がＬ極であることが分かる。反対に、第一端子１２１がＬ極コンセント端子と連結されていない時、使用者がタッチセンサ部材２２を触ると検査部材３０は同じ極性を受けるため回路が形成されず、検査部材３０は点灯せず、使用者は第一端子１２１がＮ極であることを知ることができる。また、第一端子１２１がＬ極である時、電源コンセント４０の電力は２２０Ｖであり、第一端子１２１がＮ極である時、電源コンセント４０は１１０Ｖであることを意味する。この時、使用者は、正確な極性の位置をすでに知っているので、端子溝２３に電源プラグ５０を差し込んで、回転部材２０を適切な極性ポジションまで回転させることができる。使用者が回転部材２０を回転させる時、直接電源プラグ５０によって回転させることもできるし、或いは回転調整部２１を用いて回転させることもできる。回転調整部２１は、位置限定区間１５内で移動される。また、導電部材１４、１４１は、溶断可能な金属片、或いは、高温になると回路が遮断される任意の導電材質であり、稼働温度が高すぎる時、溶断して回路が遮断され、ヒューズの作用が生じる。
【００１５】
図８と図８Ａを参照する。図８は、本発明の回転調整部の好ましい実施例の操作を示した説明図１であり、図８Ａは、本発明の回転調整部の好ましい実施例の操作を示した説明図２である。図から分かるように、回転調整部２１は、位置限定区間１５内で移動が行われる。極性を入れ替えたい時、回転調整部２１によって回転部材２０を回転させることにより極性の入れ替えを行うことができ、使用者は、地域、電圧、極性が違ったとしても、差し込んで通電させることができ、それにより、多機能性及び幅広い適用性が達成される（特に、タッチセンサ部材２２と検査部材３０は、対称の両側に２２ｈ及び３０ｈの部材を設けることにより、１１０Ｖ或いは２２０ＶのＬ極を点灯させる検査を行える）。また、回転部材は、第一端子１２１或いは第二端子１２２と電気的に接続される。
【００１６】
（実施例１）
図９を参照する。図９は、本発明の実施例１の断面図である。図から分かるように、スイッチ１０ａは絶縁ケース１１ａを含み、絶縁ケース１１ａ内には、端子溝２３ａを備える回転部材２０ａが収容され、絶縁ケース１１ａの一端には、極性を備える一対の導電端子１２ａが設けられ、一対の導電端子１２ａは、第一端子１２１ａと第二端子１２２ａを備える。第一端子１２１ａと第二端子１２２ａは、固定板１３０ａに穿設されるとともに、導電部材１４ａ、１４１ａにそれぞれ接続される。また、一対の導電端子１２ａには、さらにＥ極アース端子１２３ａが設けられ、端子溝２３ａには、アース端子１２３ａと相互に対応し接続されるアース溝２３１ａが設けられる。特に、Ｅ極アース端子１２３ａには斷層のアース接触片１４２が設けられ、アース接触片１４２は、電源線Ｌ極に接続され、Ｅ極の伝導部材２４ａ”が回転調整部２１ａによって回転させられてアース接触片１４２と接触し、電気抵抗式インジケーターランプが点灯したらアースＥ極の出力が正常であることがわかり、点灯しなければＥ極の出力機能が失われていると判断することができる。前記スイッチは、三つの端子を備えた一派的な電源プラグを差し込んで使用することができる。
【００１７】
（実施例２）
図１０、図１０Ａ、図１０Ｂを参照する。図１０は、本発明の実施例２の断面図であり、図１０Ａは、本発明の実施例２の俯瞰図であり、図１０Ｂは、本発明の実施例２の回転のレールを示した図である。図から分かるように、本発明の実施例２は、絶縁ケース１１ｇと、絶縁ケース１１ｇ内に収容されるとともに開口１３ｇの周壁１３１ｇによって限定された範囲で回転を行うことが可能な回転部材（回転部材には回転調整部２１ｇ”が設けられる）とを備える。絶縁ケース１１ｇの一端には極性を備える一対の導電端子１２ｇが設けられ、絶縁ケース１１ｇの他端には開口１３ｇが設けられる。一対の導電端子１２ｇは、第一端子１２１ｇ、１２１ｇ”、第二端子１２２ｇ、１２２ｇ”、及びアース端子１２３ｇ、１２３ｇ”を備えており、上述の回転部材には、一対の導電端子１２ｇと電気的に導通する複数の端子溝２３ｇが設けられる。端子溝２３ｇの底部には伝導部材２４ｇが設けられる。その電圧は２２０Ｖで、２４ｇをＮ極、他端の右端２４ｇ”をＬ極として説明する。伝導部材Ｌ極２４ｇ”は、端子溝２３ｇの方向へと延伸して導電接触面２４１ｇ”を形成する。また、絶縁ケース１１ｇの所定の位置には、導電スイッチ５１ｇと、伝導部材Ｌ極２４ｇ”の電源線端子に電気的に接続された第一接続切断片５２ｇ、５２ｇ”と、第一接続切断片５２ｇ、５２ｇ”と隣接する第二接続切断片５３ｇ、５３ｇ”とが設けられ、導電スイッチ５１ｇに隣接する箇所には、遮蔽板５４ｇが設けられる。導電スイッチ５１ｇは、ガイド５１１ｇと、ガイド５１１ｇ上をスライドする押しブロック５１２ｇと、押しブロック５１２ｇと連結される導電接続片５１３ｇとを備える。導電接続片５１３ｇは、溶断可能な金属片、或いは高温になると回路が遮断される任意の導電材質である。以上の構造により、使用者は、導電スイッチ５１ｇを用いてオンとオフの切り替えを行うことができる。なお、スイッチはすでに極性の選択はないので、使用者は単純にオンとオフを選択すればよく、極性の選択を行う必要性はない。また、絶縁ケース１１ｇ内には、前記回転部材を回転させるレール７０ｇと、中孔絶縁板７１ｇとが設けられる。さらに、端子溝２３ｇ内には安全バルブ２３２ｇが設けられる。
【００１８】
（実施例３）
図１１、図１１Ａ、図１２を参照する。図１１は、本発明の実施例３を示した説明図１であり、図１１Ａは、本発明の実施例３を示した説明図２であり、図１２は、本発明の実施例３を示した説明図３である。図から分かるように、電源プラグ５０ｃ内には、導電スイッチ５１ｃと、電源プラグ５０ｃの電源線端子５０１ｃに電気的に接続される第一接続切断片５２ｃと、第一接続切断片５２ｃに隣接する第二接続切断片５３ｃとが設けられる。さらに、電源プラグ５０ｃには、タッチセンサ部材２２ｃと、タッチセンサ部材２２ｃに電気的に接続される検査部材３０ｃとが設けられる。検査部材３０ｃは、電源プラグ５０ｃの電源線端子５０１ｃと電気的に接続される。また、タッチセンサ部材２２ｃの一側には遮蔽板５４ｃが設けられる。その内、導電スイッチ５１ｃは、ガイド５１１ｃと、ガイド５１１ｃ上をスライドする押しブロック５１２ｃと、押しブロック５１２ｃに連結される導電接続片５１３ｃとを備える。電源プラグ５０ｃは、コード付き電源プラグ５０ｃである。使用者がタッチセンサ部材２２ｃを手で触った時、検査部材３０ｃは、Ｌ極端子（電源線端子５０１ｃ）だった場合、人体と回路を形成して発光する。反対に、Ｎ極端子だった場合は発光しない。以上により、正確な極性を知ることができる。また、電源プラグ５０ｃのスイッチをオンにし、導電させたい時は、使用者が押しブロック５１２ｃを動かすと、押しブロック５１２ｃはガイド５１１ｃによってスライドし、押しブロック５１２ｃが遮蔽板５４ｃに当接すると止まり、この時、前記導電接続片５１３ｃにより、前記第一接続切断５２ｃと第二接続切断片５３ｃの電力は導通する。また、前記導電接続片５１３ｃは、溶断可能な金属片、或いは高温になると回路が遮断される任意の導電材質であるため、ヒューズの作用が生じ、高温により電気の使用に危険が生じるのを防ぐことができる。
【００１９】
（実施例４と実施例５）
図１３、図１４、図１４Ａ、図１５を参照する。図１３は、本発明の実施例４を示した説明図１であり、図１４は、本発明の実施例４を示した説明図２であり、図１４Ａは、本発明の実施例４を示した説明図３であり、図１５は、本発明の実施例５を示した説明図である。図から分かるように、絶縁ケース１１ｄにはオン、オフ等のインジケーター１６ｄが設けられている。なお、インジケーター１６ｄは、単一方向のスイッチであり、使用者は手動でオンとオフを切り替えることができる。また、使用者の必要に応じて、異なる電圧の単一方向のスイッチ（２２０Ｖ或いは１１０Ｖ）を選択することができ、安全なスイッチとして使用することができるとともに、操作もしやすく、電圧を選び間違えるという問題が生じないため、工業用途に向いている。また、回転部材２０ｄの所定の位置には検査部材３０ｄが設けられる（図１４に示すように、検査部材３０ｄは、図１３とは反対側に設けることもできる）。固定板１３０ｄは、絶縁ケースと連結させることができるだけでなく、壁６０ｄ内や、或いはテスト作業台やテスト器具に見えないように嵌合させることもできる。さらに、前記固定板１３０には、二つの電圧及び極性を電気的に接続することができ、非常に便利である。
【００２０】
また、固定板１３０ｄには、前記回転部材２０ｄが左に回転するのを防ぐ遮蔽壁２０１ｄが設けられる。これは、中国、日本、アメリカ、カナダの１１０Ｖ電圧のプラグの二つの端子、或いは、二つの端子とアースのプラグは、右へ１２５Ｖ方向にしか回転させることができないため、遮蔽壁２０１ｄによって回転部材２０ｄが左へ回転するのを防ぐことを目的としている。
【００２１】
（実施例６）
図１６、図１７、図１８を参照する。図１６は、本発明の実施例６を示す説明図１であり、図１７は、本発明の実施例６を示す説明図２であり、図１８は、本発明の実施例６を示す説明図３である。各図では、各国の様々な規格の電源プラグ５０ｆを例に挙げている。図１６では、アメリカ、日本、台湾で用いられる１２５Ｖの３端子の電源プラグ５０ｆを例に挙げ、図１７では、東南アジアで用いられる１２５Ｖ／２５０Ｖの２端子の電源プラグ５０ｆを例に挙げ、図１８では、ヨーロッパで用いられる２５０Ｖの２端子電源プラグ５０ｆを例に挙げている。電源プラグ５０ｆには、いずれも、導電スイッチ５１ｆ或いはタッチセンサ部材２２ｆ、及びタッチセンサ部材２２ｆと電気的に接続され極性を検査するための検査部材３０ｆが設けられる。ただし、導電スイッチ５１ｆ或いはタッチセンサ部材２２ｆ、及びタッチセンサ部材２２ｆと電気的に接続され極性を検査するための検査部材３０ｆは、上述の電源プラグ５０だけに適用されるものではなく、各国の様々な電源プラグ５０ｆに適用することができる。
【００２２】
本発明の極性補正可能な多機能コネクタースイッチが従来の技術を改善するポイントは以下の通りである。
１、現代のニーズに合致しており、電気を利用しない時は随時電源をオフにすることができ、電気を利用する際に火災を予防するというヒューズの効果も有し、また、極性を正しく使用することができ、電気抵抗を減少させ、電磁波による放射性物質の人体に対する目に見えない危害を減らし、さらには省エネ効果があり、環境保護に役立つなどの実用進歩性を備えている。
２、導電スイッチ５１ｃにより、電源プラグ５０ｃに対して能動的に通電或いは通電停止を行うことができるとともに、タッチセンサ部材２２ｃと検査部材３０ｃにより、使用者は電源線端子（Ｌ）の正確な位置を知ることができ、誤って極性を反対に挿したりすることを防止することができるという実用進歩性を備えている。
３、各国のコンセントとプラグに適合しており、全世界各国に適用することができるため、共通性が高く、多機能である。
４、２端子の電源プラグ５０或いは３端子の電源プラグ５０のいずれにも適用させて使用することができる。
５、必要に応じて、変圧器、整流器、コンセント、コンセント延長コード、アダプター等の全てのコネクターに、３６０゜回転が可能なコネクタースイッチとして適用させることができる。
【符号の説明】
【００２３】
１０ａ    スイッチ    
１１、１１ａ、１１ｂ、１１ｄ、１１ｇ、１１ｉ  絶縁ケース    １２、１２ａ、１２ｂ、１２ｇ  一対の導電端子    
１２１、１２１ａ、１２１ｇ、１２１ｇ”  第一端子  
１２２、１２２ａ、１２２ｇ、１２２ｇ”  第二端子    
１２３、１２３ａ、１２３ｇ、１２３ｇ”  アース端子    
１３、１３ｂ、１３ｄ、１３ｇ    開口        
１３０、１３０ａ、１３０ｄ、１３０ｅ    固定板    
１３１、１３１ｇ    周壁    
１４、１４ａ、１４１、１４１ａ    導電部材    
１４Ｌ、１４Ｌ１、１４１Ｌ、１４１Ｌ１、１４Ｎ、１４Ｎ１、１４１Ｎ、１４１Ｎ１  極性位置    
１４２、１４２”  アース接触片    
１５、１５ｉ  位置限定区間    
１６、１６ｄ  インジケーター    
１６１  第一ポジション    
１６２  第二ポジション    
２０、２０ａ、２０ｂ、２０ｄ、２０ｉ  回転部材    
２０１ｄ  遮蔽壁
２１、２１ａ、２１ｉ、２１ｇ”  回転調整部    
２２、２２ｃ、２２ｆ、２２ｈ  タッチセンサ部材    
２３、２３ａ、２３ｂ、２３ｇ  端子溝    
２３１ａ  アース溝    
２３２、２３２ｇ  安全バルブ    
２４、２４ａ、２４ａ”、２４ｇ、２４ｇ”  伝導部材    
２４１、２４１ｇ”    導電接触面    
３０、３０１、３０ｃ、３０ｄ、３０ｆ、３０ｈ、３０ｉ  検査部材    
３１  差し込み口パネル    
３２  右挿孔    
４０  電源コンセント    
５０、５０ｃ、５０ｆ  電源プラグ    
５０１ｃ  電源線端子    
５１ｃ、５１ｆ、５１ｇ  導電スイッチ    
５１１ｃ、５１１ｇ  ガイド        
５１２ｃ、５１２ｇ  押しブロック        
５１３ｃ、５１３ｇ  導電接続片    
５２ｃ、５２ｇ、５２ｇ”  第一接続切断片    
５３ｃ、５３ｇ、５３ｇ”  第二接続切断片    
５４ｃ、５４ｇ  遮蔽板        
６０ｅ  壁        
７０ｇ  レール        
７１ｇ  中孔絶縁板    
【図１】
2012169194.tif 000003
【図１Ａ】
2012169194.tif 000004
【図２】
2012169194.tif 000005
【図３】
2012169194.tif 000006
【図３Ａ】
2012169194.tif 000007
【図３Ｂ】
2012169194.tif 000008
【図４】
2012169194.tif 000009
【図４Ａ】
2012169194.tif 000010
【図５】
2012169194.tif 000011
【図５Ａ】
2012169194.tif 000012
【図６】
2012169194.tif 000013
【図７】
2012169194.tif 000014
【図８】
2012169194.tif 000015
【図８Ａ】
2012169194.tif 000016
【図９】
2012169194.tif 000017
【図１０】
2012169194.tif 000018
【図１０Ａ】
2012169194.tif 000019
【図１０Ｂ】
2012169194.tif 000020
【図１１】
2012169194.tif 000021
【図１１Ａ】
2012169194.tif 000022
【図１２】
2012169194.tif 000023
【図１３】
2012169194.tif 000024
【図１４】
2012169194.tif 000025
【図１４Ａ】
2012169194.tif 000026
【図１５】
2012169194.tif 000027
【図１６】
2012169194.tif 000028
【図１７】
2012169194.tif 000029
【図１８】
2012169194.tif 000030